(57)【要約】  同じ与えられた皮膚領域上をユーザが何回も装置を動かす必要なく、改良された脱毛範囲および毛の引き抜き効率を提供するための新規な機械的な設計を導入した携帯型の動力付脱毛装置。毛の引き抜きアセンブリは、シャフトの周りを回転可能であり、各々が一対の相補型ディスクからなり、ハブに載置され、および扁平な周辺部分にここを終端として接続する放射状に延長するアームを有し、対応している部分に対して押圧される場合、ヘア・トラップを形成する少なくとも２つのディスク・アセンブリを含む。放射状に延長したアームの少なくとも１つは湾曲しているので、関連するヘア・トラップは、ディスク・アセンブリと関連する他のヘア・トラップと異なる所定の平面にある状態にある。このずらされた配置は、改良された脱毛範囲に結びつく。  もう１つの実施例では、ハブのエッジは、間に相補型ディスクが配置されて、その上にピンチ・プレートを形成し、このことによりヘア・トラップの数を２倍にし、非常に脱毛効率を増加させる。
2006528900.tif 000002
【特許請求の範囲】
【請求項１】
モーターで動力を供給された脱毛装置であって、
モーター手段に連結され、手で保持されるハウジングの開口で露出された毛の引き抜きアセンブリからなり、前記毛の引き抜きアセンブリは、回転軸の周りを回転可能でおよび複数のディスク・アセンブリを含み、ディスク・アセンブリの各々は、前記ディスクの各々は、外側に延長する少なくとも２つの放射アームを有する一対の相補型ディスクであり、
前記相補型ディスクの各々は、所定の厚みを有するハブの各々の２つの軸正面上にそれぞれ載置され、
前記ハブは、回転軸の周りを前記ハブが回転するとディスクの前記対に回転運動を与えるように各々の肩部は前記放射アームの１つと係合している少なくとも２つの肩部を有し、
前記ハブは、１つのハブの回転運動が前記接合ハブに回転運動を与えるように、少なくとも１つの接合ハブを係合するための係合手段をさらに備え、
前記放射アームの各々は、扁平な周辺部分にここを終端として接続し、
前記ハブのエッジの周りの旋回運動において相補型ディスクの対応する部分に対して押圧される場合、各々のトラップが所定の複数の事実上の平面の１つにあるヘア・トラップを形成し、
前記事実上の平面は、前記ハブ厚を二分している中央平面、第１の大きさによって前記中央平面からオフセットされる第１のオフセットされた平面、および第２の大きさによって前記中央平面からオフセットされる第２のオフセットされた平面を含む回転軸に対して直角の３つの本質的に平行した平面からなり、
前記３つの事実上の平面は、前記オフセット面の範囲内の皮膚表面上で複数の隣接する脱毛範囲領域を定義し、
前記ハブの前記少なくとも２つの肩部は、前記複数の前記ディスク・アセンブリの回転の間、間をおいて、その側面上に接合ディスク・アセンブリの方へ前記肩部の各々から軸方向に延長する一対の突出部を各々有し、
前記軸突出部は、前記複数のディスク・アセンブリにおいて交互に前記ヘア・トラップを開閉するように接合ディスク・アセンブリの放射アームを押圧するために前記ディスクの隣接した放射アーム間の開空間を通って延長し、
ここにおいて、少なくとも１つの前記放射状に延長するアームおよびその対向する補完的なディスク放射アームは、湾曲しているので、このことにより形成される前記ヘア・トラップが、前記ディスク・アセンブリと関連する他のヘア・トラップからオフセットされた前記所定の事実上の平面の異なる平面にあり、
したがって、ヘア・トラップのずらされた配置を形成し、前記ヘア・トラップのずらされた配置は、このことにより、前記脱毛範囲領域の範囲内で改良された範囲で皮膚毛を引き抜き、前記引き抜かれた皮膚毛を放出する脱毛装置。
【請求項２】
請求項１の装置であって、前記ヘア・トラップのずらされた配置は、ディスク・アセンブリにつき３つのヘア・トラップを形成して、外側に延長する３つの放射アームによって提供され、そこにおいて、ヘア・トラップの各々は、前記他の２つのヘア・トラップの各々と異なる所定の事実上の平面にある装置。
【請求項３】
請求項１の装置であって、前記ヘア・トラップのずらされた配置は、ディスク・アセンブリにつき３つのトラップを形成して、外側に延長する３つの放射アームによって提供され、そして、少なくとも１つの前記ヘア・トラップは、各々のディスク・アセンブリと関連して、前記ディスク・アセンブリと関連した他のヘア・トラップと異なる所定の事実上の平面にある状態である装置。
【請求項４】
請求項１の装置であって、各々のディスク・アセンブリと関連した前記軸突出部の少なくとも１つの対は、前記軸突出部の他の対からオフセットされ、したがって、前記接合ディスク・アセンブリ上で互いからオフセットされる前記ヘア・トラップのずらされた配置の開閉を可能にし、このことにより、前記複数のディスク・アセンブリにもたらされる脱毛範囲を改善する装置。
【請求項５】
請求項１の装置であって、前記ハブはさらに、そこから外側に放射状に延長するピンチ・プレートからなり、少なくとも１つの前記ピンチ・プレートは、前記相補型ディスクの前記湾曲したアームの中間に、等距離で配置され、前記湾曲したアームの前記扁平な周辺部分によって本質的に平らにし、このことによりヘア・トラップの数を２倍にし、脱毛効率を非常に増加させる装置。
【請求項６】
請求項１の装置であって、前記少なくとも１つのハブは、固定された円弧状シャフトに回転可能に載置され、前記円弧状シャフトは凸面部分および凹面部分を有する装置。
【請求項７】
請求項１の装置であって、前記少なくとも１つのハブは、回転可能な本質的に直線のシャフトに回転可能に載置される装置。
【請求項８】
請求項１の装置であって、完全な脱毛範囲は、９つのディスク・アセンブリを利用することによって達成される装置。
【請求項９】
請求項５の装置であって、前記ピンチ・プレートの追加のために、脱毛範囲は非常に改良され、したがって、９つ未満のディスク・アセンブリを利用することによる完全な脱毛範囲の達成を可能にする装置。
【請求項１０】
毛を脱毛する方法であって、モーター手段に連結し、手で保持されたハウジングの開口で露出された毛の引き抜きアセンブリを有する毛の脱毛装置の提供からなり、
前記毛の引き抜きアセンブリは、回転軸の周りを回転可能でおよび複数のディスク・アセンブリを含み、ディスク・アセンブリの各々は、前記ディスクの各々は、外側に延長する少なくとも２つの放射アームを有する一対の相補型ディスクであり、
前記相補型ディスクの各々は、所定の厚みを有するハブの各々の２つの軸正面上にそれぞれ載置され、
前記ハブは、回転軸の周りを前記ハブが回転するとディスクの前記対に回転運動を与えるように各々の肩部は前記放射アームの１つと係合している少なくとも２つの肩部を有し、
前記ハブは、１つのハブの回転運動が前記接合ハブに回転運動を与えるように、少なくとも１つの接合ハブを係合するための係合手段をさらに備え、
前記放射アームの各々は、扁平な周辺部分にここを終端として接続し、
前記ハブのエッジの周りの旋回運動において相補型ディスクの対応する部分に対して押圧される場合、各々のトラップが所定の複数の事実上の平面の１つにあるヘア・トラップを形成し、
前記事実上の平面は、前記ハブ厚を二分している中央平面、第１の大きさによって前記中央平面からオフセットされる第１のオフセットされた平面、および第２の大きさによって前記中央平面からオフセットされる第２のオフセットされた平面を含む回転軸に対して直角の３つの本質的に平行した平面からなり、
前記３つの事実上の平面は、前記オフセット面の範囲内の皮膚表面上で複数の隣接する脱毛範囲領域を定義し、
前記ハブの前記少なくとも２つの肩部は、前記複数の前記ディスク・アセンブリの回転の間、間をおいて、その側面上に接合ディスク・アセンブリの方へ前記肩部の各々から軸方向に延長する一対の突出部を各々有し、
前記軸突出部は、前記複数のディスク・アセンブリにおいて交互に前記ヘア・トラップを開閉するように接合ディスク・アセンブリの放射アームを押圧するために前記ディスクの隣接した放射アーム間の開空間を通って延長し、
ここにおいて、少なくとも１つの前記放射状に延長するアームおよびその対向する補完的なディスク放射アームは、湾曲しているので、このことにより形成される前記ヘア・トラップが、前記ディスク・アセンブリと関連する他のヘア・トラップからオフセットされた前記所定の事実上の平面の異なる平面にあり、
したがって、ヘア・トラップのずらされた配置を形成し、前記ヘア・トラップのずらされた配置は、このことにより、前記脱毛範囲領域の範囲内で改良された範囲で皮膚毛を引き抜き、前記引き抜かれた皮膚毛を放出する脱毛方法。
【請求項１１】
請求項１０の方法であって、前記回転の間、前記脱毛装置は、改良された脱毛範囲で、同じ皮膚領域上に何回も前記装置を動かす必要なしに毛が脱毛される皮膚の上に動かされる方法。
【請求項１２】
請求項１０の方法であって、前記ヘア・トラップのずらされた配置は、脱毛範囲を非常に増加させる方法。
【請求項１３】
請求項１０の方法であって、前記回転の間、前記脱毛装置は、前記装置の単一の通過での最大の脱毛範囲で毛がそこから脱毛される皮膚の上に動かされる方法。
【請求項１４】
請求項１０の方法であって、前記脱毛は、複数の隣接する脱毛範囲領域において実行される方法。
【請求項１５】
請求項１０の方法であって、前記ハブはさらに、外側にそこから放射状に延長するピンチ・プレートからなり、前記少なくとも１つのピンチ・プレートは、前記湾曲したアームの前記扁平な周辺部分によって本質的に平らにされるように、前記相補型ディスクの前記湾曲したアームに配置されかつ等距離であり、このことにより、ヘア・トラップの数を２倍にし、前記装置が皮膚表面の上に動かされる場合に脱毛効率を非常に増加させる方法。
【請求項１６】
請求項１０の方法であって、脱毛は、９つのディスク・アセンブリによって実行される方法。
【請求項１７】
請求項１５の方法であって、脱毛は、９つ未満のディスク・アセンブリによって実行される方法。
【発明の詳細な説明】
【技術分野】
【０００１】
本発明は脱毛装置に関し、特に改良された脱毛範囲を提供し、かつ、ユーザが何回も皮膚の上で装置を動かす必要なく与えられた皮膚領域について所望の脱毛効果を達成するため、新規な機械的な設計を利用して、このことにより毛の引き抜き効率を増加させる不必要な皮膚の毛を除去するための携帯可能な動力付脱毛装置に関する。
【発明の背景】
【０００２】
現在市場に出ている多数の脱毛装置によって共有される問題は、希望する脱毛効果を達成するため、ユーザが同じ与えられた皮膚領域上で装置を何回も動かさなければならず、したがって、制限された脱毛範囲が提供されるということである。これは、一般にヘア・トラップが、一方が他方および脱毛される与えられた皮膚領域に関して整列配置された結果である。皮膚領域の範囲に関するヘア・トラップの最適な整列なしでは、毛の引き抜き効率は、減少する。
【０００３】
脱毛の通過につき効果的に処理される領域を増加させる１つの方法は、イノウエへの米国特許Ｎｏ．６，２８７，１９０において開示された。提案された方法は、シャフトの周りを同時に回転する一方で左右に与えられた皮膚領域を横切るように毛の引き抜きアセンブリを機械的に押し込むことである。両方のタイプの運動は、装置のモーターによって動力が供給される。
【０００４】
この方法は、２つの主な欠点を有する：
１．増加する製造コストおよびエネルギ消費に変換させる移動部品を加える必要性。
２．与えられた時間にも皮膚表面にさらされるヘア・トラップ開口の効果的な減弱の結果として、脱毛効率の大幅な減少。
【０００５】
ドレヴへの米国特許Ｎｏ．５，２８１，２３３は、多数の比較的大きいヘア・トラップを交互に開閉するように設計されたディスク・アセンブリを含む新規な脱毛装置を開示する。
【０００６】
ドレヴ特許は、シャフトの周りを回転可能であり、１つまたはそれ以上のディスク・アセンブリを含む毛の引き抜きアセンブリからなる脱毛装置を開示する。各々のディスク・アセンブリは、扁平な周辺部分でここを終端として接続する１つまたはそれ以上の放射状に延長したアームをそれぞれ有する一対の相補型ディスクからなる。ディスク・アセンブリはまた、その軸の正面上に各々ディスクの前記対を収容するハブを含む。
【０００７】
ハブは、ハブの回転により回転運動をディスクに与えるため、各々のディスクのアームを係合する肩を有する。ハブはまた、各々のディスクのアームの平面を越えて、軸方向に延長する突出部の対を有する。ハブはさらに、その軸に対して垂直であるエッジを有する。
【０００８】
実施例において、ディスクの対の各々のアームは、２つの扁平な周辺部分を交互に接触に導くためにエッジの周りを枢動可能であり、したがって、ヘア・トラップを閉じ、それから脱毛された毛を放出するためにトラップを開ける。
【０００９】
別の実施例では、ハブのエッジは、放射状に外側にエッジから突出するピンチ・プレートを含む。それは、扁平な周辺部分と同一平面上であるように、扁平な周辺部分の平面の反対側の平面に配置されている。ディスクの対の各々のアームは、交互に２つの扁平な周辺部分とピンチ・プレートとを接触に導くように、エッジの周りを枢動可能であり、したがって、同時に２つのヘア・トラップを閉じ、それから脱毛された毛を放出するためにトラップを開ける。
【００１０】
両方の実施例において、しかしながら、ヘア・トラップは交替しながら整列する、すなわち直列に配列する。与えられた皮膚領域の上を通過する単一の脱毛において、皮膚領域の狭帯域は、ヘア・トラップのこの直列配列によって処理される。これらのバンドの間の皮膚の帯は、処理されない。結果として、装置の効率は減少し、その結果として、希望する脱毛効果を達成するために、ユーザは数回装置を同じ与えられた皮膚領域の上に動かさなければならない。
【００１１】
それゆえに、ユーザが装置を同じ与えられた皮膚領域の上で何回も動かす必要なく与えられた皮膚領域について希望される脱毛効果の達成を保証する改良された脱毛範囲を可能にする脱毛装置を提供することが望ましい。加えて、装置を使用する際のエネルギ消費を増加させず、および、関係する部品の数を増加させずに、毛の引き抜き効率を増加させることが望ましい。
【発明の要約】
【００１２】
したがって、本発明の主要な目的は、改良された脱毛範囲を提供するために新規な機械的設計を導入し、ユーザが同じ与えられた皮膚領域上を何回も装置を動かす必要なく与えられた皮膚領域につき希望する脱毛効果の達成を保証し、このことにより毛の引き抜き効率を増加させる上述した不都合を克服し、かつ、不必要な皮膚毛を除去するための携帯可能な動力付脱毛装置を提供することである。
【００１３】
本発明は、ドレヴへの米国特許Ｎｏ．５，２８１，２３３に基づき、本質的に上述した特許の改良である。代わるがわるに整列する、すなわち直列配列におけるヘア・トラップの代わりに、新規な機械的な設計は、ヘア・トラップがずらされた方法での整列を可能し、その結果として、与えられた皮膚領域の全体をカバーする。
【００１４】
本発明の好ましい実施例によると、以下の構成からなるモーターで動力を供給される脱毛装置が提供される：
【００１５】
モーター手段に連結され、および手で保持されるハウジングの開口に露出された毛の引き抜きアセンブリ。この毛の引き抜きアセンブリは、回転軸の周りで回転可能であり、複数のディスク・アセンブリを含む；
【００１６】
一対の相補的なディスク。このディスクは各々外側に延長する少なくとも２つの放射アームを有し、相補型ディスクの各々は、所定の厚みを有するハブの各々の２つの軸正面にそれぞれ載置され、このハブは、ハブが回転軸の周りを回転すると回転運動をディスクの対に与えるように各々が放射アームの１つに係合する少なくとも２つの肩部を有し、
【００１７】
前記ハブはさらに、１つのハブの回転運動が前記接合ハブに回転運動を与えるように、少なくとも１つの接合ハブを係合する係合手段を含み、
前記アームの各々は、前記ハブのエッジの周りの枢支運動において相補型ディスクの対応している部分に対して押圧される場合、各々のトラップは所定の複数の事実上の平面の１つにある毛を抜くトラップを形成する扁平な周辺部分に、ここを終端として接続し、前記事実上の平面は、回転軸に対して直角の３つの本質的に平行した平面からなり、以下の構成を含む：
前記ハブ厚を二分している中央平面、
第１のオフセットされた大きさによって前記中央平面から間隔を置いて配置される第１のオフセットされた平面、
第２のオフセットされた大きさによって前記中央平面から間隔を置いて配置される第２のオフセットされた平面、
【００１８】
前記３つの事実上の平面は、前記オフセットされた大きさの範囲内の皮膚表面上の複数の隣接する脱毛範囲領域を定義する。
【００１９】
前記ハブの少なくとも２つの肩部は各々、その側面上のいずれかに前記複数のディスク・アセンブリの回転の間の間隔で、接合ディスク・アセンブリの方へ前記肩の各々から軸方向に延長する一対の突出部を有し、
【００２０】
前記軸突出部は、前記複数のディスク・アセンブリにおいて前記ヘア・トラップを交互に開閉にするように接合ディスク・アセンブリの放射アームを押圧するため、前記ディスクの隣接した放射アーム間の開空間を通って延長し、
【００２１】
このことにより、前記脱毛範囲領域内で改良された範囲において皮膚の毛を引き抜き、それを開放する。
【００２２】
好ましい実施例において、毛の引き抜きアセンブリは、シャフトの周りで回転可能であり、少なくとも２つのディスク・アセンブリを含む。扁平な周辺部分で成端する２つ以上の放射状に延長するアームをそれぞれ有する各々のディスク・アセンブリは、一対の相補型ディスクからなり、それは押圧される場合、対応している部分はヘア・トラップを形成する。各々のトラップは、複数の事実上の平面の１つを構成して所定の平面にある。
【００２３】
放射状に延長するアームおよびその対向する補完的なディスク・アームのうちの少なくとも１つは、湾曲しているので、形成されるヘア・トラップは、ディスク・アセンブリと関連した他のヘア・トラップと異なるオフセットされた所定の事実上の平面にある状態であり、したがって、ヘア・トラップのずらされた配置を形成する。
【００２４】
ディスク・アセンブリはまた、各々がその軸正面上にある一対の相補型ディスクを収容するハブを含む。各々のハブは、ハブの各々の２つの軸正面上に、相補型ディスクの１つをその上に搭載する所定の厚みを有する。ハブは、ハブの回転によりディスクへ回転運動を与えるような各々のディスクのアームを係合するための３つの肩部を有する。ハブは、２つの扁平な周辺部分を交互に接触に導くため、ディスクの対のアームの各々の対がその周りを枢動自在である本質的に回転軸に対して垂直なエッジを有し、したがって、所定の平面のうちの１つにあるヘア・トラップを閉じて、そして、脱毛された毛を開放するためにトラップを開ける。
【００２５】
事実上の平面は、回転軸、ハブ厚を二分している中央平面、第１のオフセット面によって中央平面から離れて配置される第１のオフセットされた平面、および、第２のオフセット面によって中央平面から離れて配置される第２のオフセットされた平面に対して直角の３つの本質的に平行した平面である。事実上の平面は、オフセット面の範囲内で脱毛範囲領域を定義する。
【００２６】
各々のディスク・アセンブリと関連し、その対応する部分に対して押圧される扁平な周辺部分により形成されるヘア・トラップのうちの少なくとも１つは、ディスク・アセンブリと関連する他のヘア・トラップとは異なる所定の平面に存在している状態にある。
【００２７】
各々のディスク・アセンブリと関連し、その対応する部分に対して押圧される扁平な周辺部分により形成されるヘア・トラップのうちの少なくとも１つは、ディスク・アセンブリと関連する他のヘア・トラップとは異なる所定の平面に存在している状態にある。このずらされた配置は、オフセット面によって定義される脱毛範囲領域の範囲内での改良された脱毛範囲に結びつく。
【００２８】
ハブの各々の肩部は、その部材の各々が接合ディスク・アセンブリの方へ肩から軸方向に延長する一対の突出部を有する。ディスク・アセンブリの回転の間の間隔において、軸の突出部は、接合ディスク・アセンブリのより近いディスクに接触するため、ディスクの隣接した放射アーム間の開空間を通って延長し、その結果交互に各々の事実上の平面にあるヘア・トラップを交互に開閉させ、このことにより、隣接する脱毛範囲領域内の皮膚の毛を引き抜き、それを放出する。
【００２９】
各々のディスク・アセンブリにおいて、ハブは、その肩部のうちの１つから延長し、反対方向において軸方向に延長し、かつ、ハブの軸の突出部の他の対からオフセットされる軸の突出部の少なくとも１つの対を有する。これは、ヘア・トラップのずらされた配置の開閉を可能し、このことにより、複数のディスク・アセンブリによって供給される脱毛範囲を改善する。
【００３０】
ハブは、１つのハブの回転運動が、少なくとも１つの接合ハブに回転運動を与えるように少なくとも１つの接合ハブを係合する係合手段を含む。
【００３１】
他の実施例によると、ハブのエッジは、エッジから放射状に外側に突設するピンチ・プレートをその上に形成される。ピンチ・プレートは、これらのアームの扁平な周辺部分によって本質的に扁平になるように相補型ディスクのアームの間に配置され、等距離である。
【００３２】
ディスクの対のアームの各々の対は、２つの扁平な周辺部分およびピンチ・プレートを同時に交互に接触に導き、そして、脱毛された毛を放出するためにトラップを開けるようにエッジの周りで枢動自在である。これは、同時に閉じるヘア・トラップの数を２倍にし、このことにより、非常に脱毛効率を増加させる。
【００３３】
好適な実施例によれば、本発明の原則に従って、ハブは、回転可能に固定された円弧状シャフト上に載置され、各々のハブは、少なくとも１つの隣接したハブを係合するための係合手段を含むので、１つのハブの回転運動は、隣接したハブに回転運動を与える。トラップの開閉は、傾斜した圧力軸受を使った運動制御手段を用いて達成される。
他の実施例によると、ハブは、回転可能に直線のシャフトに載置され、トラップの開閉は、カムまたは傾斜したスラスト軸受を使った運動制御手段を用いて達成される。
【００３４】
発明の他の特徴および効果は、本願明細書において以下に含まれる図面および説明から明らかになる。
【図面の簡単な説明】
【００３５】
発明のより良好な理解のため、要素またはセクションに対応して、指定された数のような参照が添付の図面に作成され、ここにおいて、：
【図１】多数のディスク・アセンブリを特徴するドレヴの米国特許Ｎｏ．５，２８１，２３３に示され、記載された従来技術脱毛装置の断面図である；
【００３６】
【図２】図１の装置で使用されるディスク・アセンブリの平面図である；
【００３７】
【図３】図２のディスク・アセンブリの斜視図である；
【００３８】
【図４】図２のディスク・アセンブリの他の斜視図を示す；
【００３９】
【図５】図４のディスク・アセンブリの断面図を表す；
【００４０】
【図６】図４のディスク・アセンブリの斜視図であり、ヘア・トラップの数を２倍にするピンチ・プレート機能を特徴とする；
【００４１】
【図７】図６のディスク・アセンブリの断面図を表す；
【００４２】
【図８】従来技術の脱毛装置の毛の引き抜きアセンブリの外周に置かれるヘア・トラップのレイアウトの略図を例示する；
【００４３】
【図９】矢印Ａの方向において毛の引き抜きアセンブリにより運ばれる標準ヘア・トラップの脱毛範囲領域の幅の略図を例示する；
【００４４】
【図１０】（イノウエによって提案されるように）毛の引き抜き装置がＡに移動する一方、毛の引き抜きアセンブリによって左右に運ばれるヘア・トラップの脱毛範囲領域の幅の略図で例示する；
【００４５】
【図１１】本発明の原則に従って構成されかつ操作される、ピンチ・プレート機能を組み込まない、各々の側面ディスク・アセンブリの中央平面からオフセットされた放射状に延長するアームのうちの２つを示すディスク・アセンブリの等角図である；
【００４６】
【図１２】ディスク・アセンブリの中央平面の中央に置かれる放射状に延長するアームに沿った図１１のディスク・アセンブリの断面図である；
【００４７】
【図１３】ディスク・アセンブリの中央平面の右にオフセットされる放射状に延長するアームに沿った図１１のディスク・アセンブリの断面図である；
【００４８】
【図１４】ディスク・アセンブリの中央平面の左にオフセットされる放射状に延長するアームに沿った図１１のディスク・アセンブリの断面図である；
【００４９】
【図１５】図１１において示される本発明の脱毛装置ディスク・アセンブリの組立分解等角図である；
【００５０】
【図１６】図１１‐１５に示すように、ディスク・アセンブリのヘア・トラップのレイアウトを略図で例示する；
【００５１】
【図１７】ピンチ・プレートを特徴として、放射状に延長するアームおよび各々の側面にディスク・アセンブリの中央平面からオフセットされるそれらの関連するピンチ・プレートのうちの２つを示す本発明の原則に従って構成されかつ操作されるディスク・アセンブリの等角図である；
【００５２】
【図１８】ディスク・アセンブリの中央平面に中央を置かれる放射状に延長するアームに沿った図１７のディスク・アセンブリの断面図である；
【００５３】
【図１９】ディスク・アセンブリの中央平面の右にオフセットされる放射状に延長するアームに沿った図１７のディスク・アセンブリの断面図である；
【００５４】
【図２０】ディスク・アセンブリの中央平面の左にオフセットされる放射状に延長するアームに沿った図１７のディスク・アセンブリの断面図である；
【００５５】
【図２１】図１７において示されるピンチ・プレートを強調した本発明の脱毛装置ディスク・アセンブリの組立分解等角図である；
【００５６】
【図２２】ディスク・アセンブリの中央平面の右にオフセットされる放射状に延長するアームを示し、ピンチ・プレートを組み込み、多数のディスク・アセンブリを特徴とする本発明の毛の引き抜きアセンブリの断面図である；
【００５７】
【図２３】ディスク・アセンブリの中央平面の左にオフセットされる放射状に延長するアームを示し、ピンチ・プレートを組み込み、多数のディスク・アセンブリを特徴とする本発明の毛の引き抜きアセンブリの断面図である；
【００５８】
【図２４】ディスク・アセンブリの中央平面の中央に配置される放射状に延長するアームを示し、ピンチ・プレートを組み込み、多数のディスク・アセンブリを特徴とする本発明の毛の引き抜きアセンブリの断面図である；
【００５９】
【図２５】本発明の毛の引き抜きアセンブリの外周上に位置する、ピンチ・プレートなしでのヘア・トラップのずらされたレイアウトの略図を例示する；
【００６０】
【図２６】本発明の毛の引き抜きアセンブリの外周上に位置するピンチ・プレートを特徴とするヘア・トラップのずらされたレイアウトの略図を例示する。
【好ましい実施例の詳細な説明】
【００６１】
図１‐３は、本発明の発明者ドレヴへの米国特許Ｎｏ．５，２８１，２３３から再生される。示される照合番号に関して、図は完全にその中に記載される。それゆえに、以下の説明は、説明が前の発明と現在の発明とを比較するために必要とされる関心の特有な特徴のみに関する。
【００６２】
図１は、多数のディスク・アセンブリを特徴とするドレヴの米国特許Ｎｏ．５，２８１，２３３に示され、記載された従来技術脱毛装置の断面図である。１つまたはそれ以上ディスク・アセンブリ２８からなる毛の引き抜きアセンブリ１２は示される。円弧形のシャフト３２上にディスク・アセンブリ２８の各々が回転可能に載置される。円弧状シャフト３２のカーブする部分は、ディスク・アセンブリ２８が傾斜したスラスト軸受５４および６４に助けられ、有効にかつ滑らかにヘア・トラップを開閉させるためにロッド５６および６６を押すように一定の曲率半径を有する。
【００６３】
図２は、図１の装置において使われるディスク・アセンブリの平面図である。ディスク・アセンブリ２８は、ハブ３４および一対のディスク３６の３つの主な部品からなる。
【００６４】
図３は、図２のディスク・アセンブリの斜視図である。ディスク３６の各々は、その中心から放射する少なくとも１つの放射状に延長するアーム３８を有する。各々のアーム３８は、扁平な周辺部分４０に、ここを終端として接続する。扁平な周辺部分４０が相補型ディスク３６の対応する平らにされた周辺部分４０に対して押圧される場合、トラップは形成される。各々のディスク３６の中心部は、ハブ３４の突起上に適合するように大きさを設定されかつ成形される開口を有する。ハブ３４は、肩部４６を有し、ディスク３６のアーム３８につき１つの肩４６を有する。肩部４６は、各々のアーム３８の後縁が肩部４６の１つの部分に対して当接するように大きさを設定されかつ形成される。ハブ３４の回転運動は、ディスク３６に同じ回転運動を伝達する。ハブ３４は、ディスク・アセンブリ間の回転運動を伝えるため、隣接したハブにおける対応する部分を係合するように一連の軸係合突出部７０および凹部７２を含む。ハブ３４の肩部４６から延長するものは、反対方向において軸方向に延長する一対の軸突出部４８である。軸突出部４８の特定の一組が円弧状シャフト３２の湾曲によって生じる凹状構成に位置する場合、軸突出部４８は、接合ディスク・アセンブリ２８のより近いディスク３６に接触するように、ディスク３６の隣接したアーム３８間の開空間を通って延び、このことにより、接合ディスク・アセンブリ２８にトラップを形成させる。（図１参照）ハブ３４は、相補型ディスク３６の対応するアーム３８の各々の対の間にあるエッジ５０を含む。
【００６５】
接合ディスク・アセンブリ２８の軸突出部４８が同時にディスク３６を押圧するときはいつでも、相補型ディスク３６の一対のアーム３８は、アーム３８の対の間に位置するハブ３４の対応するエッジ５０の周りを互いの方へ僅かに旋回する。この旋回が、アーム３８の対の端部と扁平な周辺部分４０の対を同時に並列させ、トラップを形成する。
【００６６】
図４は、図２のディスク・アセンブリの他の斜視図を示す。線図の方向指示矢印Ａで示されるように、軸の周りで旋回する放射状に延長するアーム３８は、ヘア・トラップの周辺部分４０に並列に指向される。
【００６７】
図５は、図４のディスク・アセンブリの断面図を表示する。
【００６８】
図６は、上記で参照されたドレヴ特許（米国特許Ｎｏ．５，２８１，２３３）第７コラム、２７‐４２行にて説明されるように、ピンチ・プレートを組み込んだディスク・アセンブリの斜視図である。ハブ３４のエッジ５０は、エッジ５０から外へ放射状に突設し、ヘア・トラップの数を２倍にするピンチ・プレート３９を含む。
【００６９】
図７は、図６の装置の断面図を表示する。互いの方へのディスク３６のアーム３８の旋回は、２つのトラップの作成をもたらす。一方のトラップは、ピンチ・プレート３９の１つの面と扁平な周辺部分４０の１つとの間で形成され、他方のトラップは、ピンチ・プレート３９の他の面と相補型ディスク３６の扁平な周辺部分４０との間で形成される。
【００７０】
図８は、従来技術の脱毛装置における毛の引き抜きアセンブリ１２の外周に置かれるヘア・トラップのレイアウトを略図で例示する。そこで、トラップの脱毛範囲領域の幅はきわめて狭く、これらの領域間の皮膚の帯は処理されないことが明確に見ることができる。これらの領域が隣接しないので、装置の効率は減少し、その結果として、ユーザは、希望される脱毛効果を達成するために数回、装置を同じ与えられた皮膚領域の上で動かさなければならない。
【００７１】
図９は、線図の矢印Ａの方向に毛の引き抜きアセンブリによって運ばれる標準のヘア・トラップの脱毛範囲領域の幅を略図で例示する。説明の便宜上、トラップの対向するエッジ４０ｂの間の入口幅に１．０ｍｍが与えられる。
【００７２】
図１０は、線図の方向指示矢印Ａで示されるように、毛の引き抜きアセンブリが同時に前進移動する一方、（イノウエによって提案されるように）、線図の矢印Ｂで示されるように、毛の引き抜きアセンブリによって左右に運ばれるヘア・トラップの脱毛範囲領域の幅を略図で例示する。これらの２つの運動の結果として生じるベクトルは、線図の方向指示矢印Ｃで示されるように、実際の移動であり、その方向は対角線である。この運動は、明確に示されることができるように、ヘア・トラップの脱毛範囲領域の有効間口を非常に減少させる。トラップの対向するエッジ４０ｂ間の効果的な入口幅は、現在０．５ｍｍだけである。
【００７３】
図１１は、本発明の原理に従って構成かつ作動したピンチ・プレート機能を組み込まないディスク・アセンブリの等角図であり、ディスク・アセンブリの中央平面からオフセットされる放射状に延長するアーム３８ａの２セットを示す。ハブ３４ａの肩部４６ａから延長するものは、反対方向において軸方向に延長する一対の軸突出部４８ａである。軸突出部４８ａの特定のセットが円弧状シャフト３２の湾曲によって生じる凹状構成に位置する場合、軸突出部４８ａは、接合ディスク・アセンブリ２８ａのより近いディスク３６ａに接触するため、ディスク３６ａの隣接したアーム３８ａ間の開空間を通って延長し、このことにより、接合ディスク・アセンブリ２８ａにトラップを形成させる。
【００７４】
図１２は、ディスク・アセンブリの中央平面の中央に置かれる放射状に延長するアームに沿った図１１のディスク・アセンブリの断面図である。接合ディスク・アセンブリ２８ａの軸突出部４８ａがディスク３６ａを同時に押圧するときはいつでも、相補型ディスク３６ａの一対のアーム３８ａは、アーム３８ａの対の間に位置するハブ３４ａの対応するエッジ５０ａの周りを互いの方へ僅かに旋回する。この旋回は、並列して同時にアーム３８ａの対の端部で扁平な周辺部分４０ａの対をトラップの形成に導く。
【００７５】
図１３は、ディスク・アセンブリの中央平面の右にオフセットされる放射状に延長するアームに沿った図１１のディスク・アセンブリの断面図である。
【００７６】
図１４は、ディスク・アセンブリの中央平面の左にオフセットされる放射状に延長するアームに沿って、図１１のディスク・アセンブリの断面図である。
【００７７】
図１５は、図１１において示される本発明の脱毛装置ディスク・アセンブリの組立分解等角図である。各々のディスク３６ａは、その中心から放射する少なくとも２つの放射状に延長するアーム３８ａを有する。各々のアーム３８ａは、扁平な周辺部分４０ａでここを終端として接続する。扁平な周辺部分４０ａが相補型ディスク３６ａの対応する扁平な周辺部分４０ａに対して押圧される場合、トラップは、形成される。各々のディスク３６ａの中心部は、ハブ３４ａの突起上に適合させるように大きさを設定されかつ形成された開口４５を有する。ハブ３４ａは、肩部４６ａを有し、ディスクの３６ａのアーム３８ａにつき１つの肩部４６ａを有する。肩部４６ａは、各々のアーム３８ａの後縁が、肩部４６ａの１つの部分に対して当接するように大きさを設定されかつ形成される。ハブ３４ａの回転運動は、ディスク３６ａへの同じ回転運動を伝達する。ハブ３４ａは、回転運動を隣接したディスク・アセンブリに与えるため、隣接したハブの窪み７２ａを係合する一連の軸係合突出部７０ａを含む。ディスク・アセンブリの中央平面の左右に延長する放射アーム３８ａ、軸方向突起４８ａおよび肩部４６のオフセットは、明確に見られることができる。
【００７８】
図１６は、図１１‐１５に示されるように１つのディスク・アセンブリのヘア・トラップのレイアウトの略図を例示する。ヘア・トラップのずらされたレイアウトは、図８において示される直列のレイアウトによってもたらされるものよりも、非常に広い脱毛範囲領域をもたらすことが明らかである。
【００７９】
図１７は、ピンチ・プレートを特徴とし、および放射状に延長するアームの２つおよびディスク・アセンブリの中央平面からオフセットされるそれらの関連するピンチ・プレートを示す本発明の原則に従って構成され、かつ、作動されるディスク・アセンブリの等角図である。
【００８０】
図１８は、ディスク・アセンブリの中央平面の中央に置かれる放射状に延長するアームに沿った図１７のディスク・アセンブリの断面図である。
【００８１】
図１９は、ディスク・アセンブリの中央平面の右にオフセットされる放射状に延長するアームに沿った図１７のディスク・アセンブリの断面図である。
【００８２】
図２０は、ディスク・アセンブリの中央平面の左にオフセットされる放射状に延長するアームに沿って、図１７のディスク・アセンブリの断面図である。
【００８３】
図２１は、図１７において示される本発明の脱毛装置ディスク・アセンブリの組立分解等角図である。ハブ３４ａのエッジ５０ａは、エッジ５０ａから放射状に外側に突設するピンチ・プレート４１ａを含む。ピンチ・プレート４１ａは、これらのアームの扁平な周辺部分４０ａによって本質的平らされるように相補型ディスクのアーム３８ａの中間に配置され、かつ、等距離である。各々のディスクのようなアセンブリにおいて、オフセットされたピンチ・プレート４１ａは、オフセットされた扁平な周辺部分４０ａに対応する。扁平な周辺部分のオフセットされた取付けは、ディスク・アセンブリの中央平面の１つの側面または他の側面上にある。
【００８４】
図２２は、ピンチ・プレートを組み込み、および多数のディスク・アセンブリを特徴とする本発明の毛の引き抜きアセンブリの断面図であり、ディスク・アセンブリの中央平面Ｚの右にオフセットされる放射状に延長するアームを示す。軸突出部４８ａは、接合ディスク・アセンブリ２８ａのより近いディスク３６ａに接触させるためディスク３６ａの隣接したアーム３８ａ間の開空間を通って延長し、このことにより、接合ディスク・アセンブリ２８ａにトラップを形成させる。
【００８５】
図２３は、ピンチ・プレートを組み込み、および多数のディスク・アセンブリを特徴とする本発明の毛の引き抜きアセンブリの断面図であり、ディスク・アセンブリの中央平面Ｚの左にオフセットされる放射状に延長するアームを示す。
【００８６】
図２４は、ピンチ・プレートを組み込み、および多数のディスク・アセンブリを特徴とする本発明の毛の引き抜きアセンブリの断面図であり、ディスク・アセンブリの中央平面Ｚの中央に置かれる放射状に延長するアームを示す。各々のディスク・アセンブリは、それ自体の扁平な周辺部分４０ａ構成要素を利用することによりトラップを形成することが可能である。トラップ閉鎖起動力は、軸突出部４８ａによって隣接したディスクの間で伝達される。
【００８７】
図２５は、本発明の毛の引き抜きアセンブリの外周上に位置するピンチ・プレートなしでのヘア・トラップのずらされたレイアウトの略図を例示する。説明の便宜上、トラップの対向するエッジ４０ａ間の入口幅は１．０ｍｍとされる。非処理の皮膚のいかなる隙間も残さず、複数の隣接する脱毛範囲領域に結びつくすべてのトラップの脱毛範囲の領域が互いに接触し、ユーザは与えられた皮膚領域の上の装置の単一の通過での最大の脱毛範囲を達成できることが明確に示されるであろう。本実施例において、完全な脱毛範囲は、９つのディスク・アセンブリを用いて達成される（領域“Ｄ”を参照）。
【００８８】
図２６は、本発明の毛の引き抜きアセンブリの外周上に位置するピンチ・プレートを特徴とするヘア・トラップのずらされたレイアウトの略図を例示する。この図のトラップの対向するエッジ４０ａ間の入口幅は現在１．４ｍｍとされ、ピンチ・プレートの厚みが０．４ｍｍであることを示す。非処理の皮膚のいかなる隙間も残さず、複数の隣接する脱毛範囲領域に結びつくすべてのトラップの脱毛範囲の領域が互いに接触し、ユーザは与えられた皮膚領域の上の装置の単一の通過での最大の脱毛範囲を達成できることが明確に示される可能性がある。ピンチ・プレートを加えることにより、同時に閉じるヘア・トラップの数を２倍にして、このことにより、脱毛効率を非常に増加させる。加えて、本実施例において、完全な脱毛範囲は、図２５に示されるようにピンチ・プレートを利用しない本発明実施例において必要とされる９つのディスク・アセンブリに対して、６つのディスク・アセンブリ（領域“Ｆ”を参照）のみを用いて達成され、それは材料および複雑さの減少に結びつく。
【００８９】
特定の特有な実施例に関して本発明を記載したが、さらなる修正は当業者に提案される可能性があるので、この説明が制限を意味しないと理解され、および、それは添付の請求の範囲の範囲内でそのような修正に適用されることが意図される。
【図１】
2006528900.tif 000003
【図２】
2006528900.tif 000004
【図３】
2006528900.tif 000005
【図４】
2006528900.tif 000006
【図５】
2006528900.tif 000007
【図６】
2006528900.tif 000008
【図７】
2006528900.tif 000009
【図８】
2006528900.tif 000010
【図９】
2006528900.tif 000011
【図１０】
2006528900.tif 000012
【図１１】
2006528900.tif 000013
【図１２】
2006528900.tif 000014
【図１３】
2006528900.tif 000015
【図１４】
2006528900.tif 000016
【図１５】
2006528900.tif 000017
【図１６】
2006528900.tif 000018
【図１７】
2006528900.tif 000019
【図１８】
2006528900.tif 000020
【図１９】
2006528900.tif 000021
【図２０】
2006528900.tif 000022
【図２１】
2006528900.tif 000023
【図２２】
2006528900.tif 000024
【図２３】
2006528900.tif 000025
【図２４】
2006528900.tif 000026
【図２５】
2006528900.tif 000027
【図２６】
2006528900.tif 000028
【国際調査報告】
2006528900.tif 000029